(57)【要約】【課題】装置を長期間継続して使用する場合でも、水受け部からの水溢れを防止することが可能な排水機構を備えた液体微細化装置を提供する。【解決手段】吸込口２より吸い込まれた空気に微細化された水を含ませて、その水を含んだ空気を吹出口３より吹き出す液体微細化装置１は、揚水管１４により揚水される水を貯水する貯水部１０と、液体微細化装置１の底部に設けられた水受け部１１と、貯水部１０の底面に設けられた第１排水口１３と、水受け部１１の側壁１１ａに設けられた第２排水口３１と、第１排水口１３と連通して接続された第１開口端部３０ａと、第２排水口３１に挿通された第２開口端部３０ｂとを有する内部排水管３０と、を備える。貯水部１０の水は、第２排水口３１に挿通された内部排水管３０から装置外に排水され、水受け部１１に流れ込む水は、第２排水口３１の内部排水管３０以外の部分から装置外に排水される。【選択図】図３
2020104053.tif 000002
【特許請求の範囲】
【請求項１】
空気を吸い込む吸込口と、前記吸込口より吸い込まれた空気を吹き出す吹出口と、前記吸込口と前記吹出口との間の風路に設けられ、水を微細化する液体微細化手段と、を備え、前記吸込口より吸い込まれた空気に前記液体微細化手段にて微細化された水を含ませて、その水を含んだ空気を前記吹出口より吹き出す液体微細化装置であって、
回転することにより揚水し、その揚水した水を遠心方向に放出する筒状の揚水管と、
前記揚水管の鉛直方向下方に設けられ、前記揚水管により揚水される水を貯水する貯水部と、
前記貯水部の鉛直方向下方において、前記液体微細化装置の底部に設けられた水受け部と、
前記貯水部の底面に設けられた第１排水口と、
前記水受け部の壁面に設けられた第２排水口と、
前記第１排水口と連通して接続された第１開口端部と、前記第２排水口に挿通された第２開口端部とを有する排水用配管と、
を備え、
前記貯水部の水は、前記第２排水口に挿通された前記排水用配管から装置外に排水され、
前記水受け部に流れ込む水は、前記第２排水口の前記排水用配管以外の部分から装置外に排水されることを特徴とする液体微細化装置。
【請求項２】
前記水受け部の外側の壁面に設置され、前記第２排水口と連通する排水管接続口を有する排水管接続部をさらに備え、
前記第２開口端部は、前記第２排水口と前記排水管接続口との間に位置していることを特徴とする請求項１に記載の液体微細化装置。
【請求項３】
前記水受け部には、前記第２排水口に向かって下り勾配が形成されていることを特徴とする請求項１または２に記載の液体微細化装置。
【発明の詳細な説明】
【技術分野】
【０００１】
本発明は、水を微細化し、吸い込んだ空気にその微細化した水を含ませて吹き出す液体微細化装置に関するものである。
【背景技術】
【０００２】
従来の液体微細化装置として、例えば、装置からの水漏れが生じた場合に、装置の底部に設けたドレンパン（水受け部）によって漏れた水を保持する構造を備えたナノミスト発生装置が知られている（例えば、特許文献１）。しかしながら、こうしたナノミスト発生装置では、ドレンパンによって保持可能な水量以上の水漏れが生じた場合に、ドレンパンから水が溢れ出す懸念があった。
【０００３】
一方、上記したようなドレンパンに対してドレン排水口（およびこれに接続するドレン配管）を設けた構成とし、加湿動作時における給水タンク（貯水部）からの通常の排水を含めてドレンパンに一旦流し込み、その後ドレン排水口から装置の外部に排水するようにした加湿ユニットが知られている（例えば、特許文献２）。
【０００４】
そこで、我々は、液体微細化装置の底部に設けたドレンパン（水受け部）に対して、ドレン排水口（およびこれに接続するドレン配管）を設けた排水機構を有する液体微細化装置の検討を行った。
【先行技術文献】
【特許文献】
【０００５】
【特許文献１】特開２００９−２７９５１４号公報
【特許文献２】特開平１１−３５１６４９号公報
【発明の概要】
【発明が解決しようとする課題】
【０００６】
しかしながら、検討した液体微細化装置では、ドレンパンに通常の排水を含めて流し込んで長期間継続して使用していると、ドレンパンに一次的に溜まる水は空気との接触面積が広いため、空気中の汚染物質が水に溶け込み、水の中にスライムまたはカビが発生してしまうことが分かった。つまり、装置を長期間継続して使用する場合、スライムまたはカビによってドレン排水口（またはドレン配管）が詰まり、結果としてドレンパンから水が溢れ出すという新たな課題が生じることが懸念される。
【０００７】
本発明は、上記課題を解決するためになされたものであり、装置を長期間継続して使用する場合でも、水受け部からの水溢れを防止することが可能な排水機構を備えた液体微細化装置を提供するものである。
【課題を解決するための手段】
【０００８】
この目的を達成するために、本発明に係る液体微細化装置は、空気を吸い込む吸込口と、吸込口より吸い込まれた空気を吹き出す吹出口と、吸込口と吹出口との間の風路に設けられ、水を微細化する液体微細化手段と、を備え、吸込口より吸い込まれた空気に液体微細化手段にて微細化された水を含ませて、その水を含んだ空気を吹出口より吹き出す。そして、回転することにより揚水し、その揚水した水を遠心方向に放出する筒状の揚水管と、揚水管の鉛直方向下方に設けられ、揚水管により揚水される水を貯水する貯水部と、貯水部の鉛直方向下方において、液体微細化装置の底部に設けられた水受け部と、貯水部の底面に設けられた第１排水口と、水受け部の壁面に設けられた第２排水口と、第１排水口と連通して接続された第１開口端部と、第２排水口に挿通された第２開口端部とを有する排水用配管と、を備える。貯水部の水は、第２排水口に挿通された排水用配管から装置外に排水され、水受け部に流れ込む水は、第２排水口の排水用配管以外の部分から装置外に排水されることを特徴とするものである。
【発明の効果】
【０００９】
本発明によれば、装置を長期間継続して使用する場合でも、水受け部からの水溢れを防止することが可能な排水機構を備えた液体微細化装置を提供することができる。
【図面の簡単な説明】
【００１０】
【図１】図１は、本発明の実施の形態１に係る液体微細化装置の正面側を示す斜視図である。
【図２】図２は、同液体微細化装置の背面側を示す斜視図である。
【図３】図３は、同液体微細化装置の内部構成を示す概略断面図である。
【図４】図４は、同液体微細化装置の排水管接続部の構成を示す拡大断面図である。
【図５】図５は、同液体微細化装置を備えた熱交換気装置の概略斜視図である。
【発明を実施するための形態】
【００１１】
本発明に係る液体微細化装置は、空気を吸い込む吸込口と、吸込口より吸い込まれた空気を吹き出す吹出口と、吸込口と吹出口との間の風路に設けられ、水を微細化する液体微細化手段と、を備え、吸込口より吸い込まれた空気に液体微細化手段にて微細化された水を含ませて、その水を含んだ空気を吹出口より吹き出す。そして、回転することにより揚水し、その揚水した水を遠心方向に放出する筒状の揚水管と、揚水管の鉛直方向下方に設けられ、揚水管により揚水される水を貯水する貯水部と、貯水部の鉛直方向下方において、液体微細化装置の底部に設けられた水受け部と、貯水部の底面に設けられた第１排水口と、水受け部の壁面に設けられた第２排水口と、第１排水口と連通して接続された第１開口端部と、第２排水口に挿通された第２開口端部とを有する排水用配管と、を備える。貯水部の水は、第２排水口に挿通された排水用配管から装置外に排水され、水受け部に流れ込む水は、第２排水口の排水用配管以外の部分から装置外に排水されることを特徴とするものである。
【００１２】
こうした構成によれば、液体微細化装置の動作時には、貯水部からの水は、第２排水口に挿通された排水用配管の第２開口端部から、水受け部に流れ込むことなく装置外に排水される。一方、装置に異常が生じて水漏れが発生した際には、水受け部に流れ込む水は、第２排水口の排水用配管以外の領域から装置外に排水される。このため、本発明の液体微細化装置では、水受け部内で貯水部からの水が空気に曝されることを抑制することができる。また、異常時に水受け部が保持可能な水量以上の水漏れが生じる場合でも、水受け部に流れ込む水を連続的に排水することができる。すなわち、装置を長期間継続して使用する場合でも、水受け部からの水溢れを防止することが可能な排水機構を備えた液体微細化装置とすることができる。
【００１３】
また、本発明の液体微細化装置では、水受け部の外側の壁面に設置され、第２排水口と連通する排水管接続口を有する排水管接続部をさらに備え、第２開口端部は、第２排水口と排水管接続口との間に位置していることが好ましい。こうした構成とすることで、第２開口端部から排水される貯水部からの水が、第２排水口を介して水受け部内に逆流することを抑制することができる。このため、水受け部内で貯水部からの水が空気に曝されることをさらに抑制することができる。
【００１４】
また、本発明の液体微細化装置では、水受け部には、第２排水口に向かって下り勾配が形成されていることが好ましい。こうした構成とすることで、異常時に水受け部に流れ込む水を確実に第２排水口の排水用配管以外の領域から排水することができる。このため、水受け部内で貯水部からの水が空気に曝されることを確実に抑制することができる。
【００１５】
以下、本発明を実施するための形態について添付図面を参照して説明する。なお、以下の実施の形態は、本発明を具体化した一例であって、本発明の技術的範囲を限定するものではない。また、全図面を通して、同一の部位については同一の符号を付して説明を省略している。さらに、本発明に直接には関係しない各部の詳細については重複を避けるために、図面ごとの説明は省略している。
【００１６】
（実施の形態１）
まず、図１〜図４を用いて、本発明の実施の形態１に係る液体微細化装置１の構成について説明する。図１は、本発明の実施の形態１に係る液体微細化装置の正面側を示す斜視図である。図２は、液体微細化装置の背面側を示す斜視図である。図３は、液体微細化装置の内部構成を示す概略断面図である。図４は、液体微細化装置の排水管接続部の構成を示す拡大断面図である。
【００１７】
図１、図２に示すように、液体微細化装置１は、円柱状の容器として構成されている。また、液体微細化装置１は、吸込口２と、吹出口３と、内筒４と、外筒８と、水受け部１１と、を備えている。
【００１８】
吸込口２は、液体微細化装置１の内部に空気を吸い込むための開口であり、液体微細化装置１の側面に設けられている。また、吸込口２は、ダクトが接続可能な形状（例えば、円筒形状）である。
【００１９】
吹出口３は、液体微細化装置１の内部を通過した空気を吹き出すための開口であり、液体微細化装置１の上面に設けられている。また、吹出口３は、内筒４と外筒８とによって仕切られる領域（内筒４と外筒８との間の領域）に形成されている。そして、吹出口３は、液体微細化装置１の上面部における内筒４の周囲に設けられる。さらに、吹出口３は、吸込口２よりも上方に位置するように設けられている。また、吹出口３は、筒状のダクトが接続可能な形状である。
【００２０】
そして、図３に示すように、吸込口２から吸い込まれた空気は、後述する液体微細化手段１７によって、加湿された空気となって吹出口３から吹き出される。
【００２１】
内筒４は、液体微細化装置１の内部の中央付近に配置される。また、内筒４は、略鉛直方向下方に向けて開口した通風口７を有し、中空円筒形状に形成されている。
【００２２】
外筒８は、円筒形状に形成され、内筒４を内包するように配置されている。また、外筒８の側壁８ａには、後述する貯水部１０に水を供給するための第１給水口１２が設けられている。なお、第１給水口１２は、貯水部１０の上面（貯水部１０に貯水され得る最大水位の面：水面４０）よりも鉛直方向上方の位置に設けられている。
【００２３】
水受け部１１は、図１、図２に示すように、液体微細化装置１の底部全面に亘って設けられている。水受け部１１は、例えば、装置に異常が生じて水漏れが発生した際に、装置から漏れた水を一時的に溜めることができる。また、水受け部１１の側壁１１ａには、外部の給水管（図示せず）と接続するための給水管接続部２２と、外部の排水管（図示せず）と接続するための排水管接続部３３とが設けられている。なお、液体微細化装置１における給水構造および排水機構については後述する。
【００２４】
次に液体微細化装置１の内部構造について説明する。
【００２５】
図３に示すように、液体微細化装置１は、その内部に、吸込連通風路５と、内筒風路６と、外筒風路９と、貯水部１０と、液体微細化手段１７と、水受け部１１と、を有する。
【００２６】
吸込連通風路５は、吸込口２と内筒４（内筒風路６）とを連通するダクト形状の風路であり、吸込口２から吸い込まれた空気は、吸込連通風路５を介して内筒４の内部に至る構成となっている。
【００２７】
内筒風路６は、内筒４の内側に設けられた風路であり、内筒４の下端に設けられた開口（通風口７）を介して、内筒４の外側に設けられた外筒風路９（図３の破線矢符で示す風路）と連通している。内筒風路６には、風路内に液体微細化手段１７が配置されている。
【００２８】
外筒風路９は、内筒４と外筒８との間に形成された風路であり、吹出口３と連通している。
【００２９】
貯水部１０は、液体微細化装置１の下部（内筒４の下部）に設けられ、水を貯留する。貯水部１０は、略すり鉢形状に形成されて、貯水部１０の側壁は、外筒８の下端と接続されて一体化している。そして、貯水部１０は、外筒８の側壁８ａに設けられた第１給水口１２から水が供給され、貯水部１０の底面に設けられた第１排水口１３から水が排出される構造となっている。なお、第１排水口１３は、貯水部１０底面の最も低い位置に設けられていることが好ましい。
【００３０】
液体微細化手段１７は、液体微細化装置１の主要部であり、水の微細化を行うところである。具体的には、液体微細化手段１７は、揚水管（吸上管）１４と、回転板１５と、モータ１６と、を有する。また、液体微細化手段１７は、内筒４の内側すなわち内筒４に覆われる位置に設けられている。
【００３１】
揚水管１４は、回転により貯水部１０から水を吸い上げる。また、揚水管１４は中空の円錐台形状に形成され、直径の小さい側の先端が貯水部１０に貯水された水の水面４０以下になるように設けられている。
【００３２】
回転板１５は、中央が開口したドーナツ状の円板形状に形成され、揚水管１４の直径の大きい側、言い換えれば揚水管１４の上部の周囲に配置されている。揚水管１４の直径の大きい側には、その側面に複数の開口（図示せず）が設けられており、吸い上げた水が開口を通過して回転板１５に供給されるようになっている。そして、回転板１５は、揚水管１４により吸い上げられた水を回転面方向に放出する。
【００３３】
モータ１６は、揚水管１４および回転板１５を回転させる。
【００３４】
水受け部１１は、貯水部１０の鉛直方向下方において、液体微細化装置１の底部全面に亘って設けられている。また、水受け部１１の側壁１１ａには、給水管接続部２２と連通する第２給水口２１と、排水管接続部３３と連通する第２排水口３１とが設けられている。ここで、第２排水口３１は、貯水部１０の第１排水口１３の位置よりも鉛直方向下方の位置に設けられる。さらに、水受け部１１の内部には、水受け部１１の側壁１１ａに設けられた第２排水口３１（排水管接続部３３）に向かって下り勾配となる傾斜面１１ｂが形成されている。
【００３５】
次に、図３を用いて液体微細化装置の動作について説明する。
【００３６】
初めに、図示しない給水設備より水が第１給水口１２から貯水部１０に供給され、貯水部１０に水が貯水される。そして、吸込口２から液体微細化装置１の内部に吸い込まれた空気は、吸込連通風路５、内筒風路６、液体微細化手段１７、外筒風路９の順に通過し、吹出口３から外部（例えば、室内）に向けて吹き出される。このとき、液体微細化手段１７によって発生した水滴と、内筒風路６を通過する空気とが接触し、水滴が気化することにより空気を加湿することができる。また、貯水部１０に貯水された水は、所定時間が経過したのち第１排水口１３から、後述する内部排水管３０を通じて装置外に排出される。
【００３７】
その詳細な動作を説明する。
【００３８】
吸込口２から吸込連通風路５を通過して内筒風路６の内筒に取り込まれた空気は、液体微細化手段１７を通過する。揚水管１４および回転板１５がモータ１６の動作により回転すると、回転により貯水部１０に貯水された水が揚水管１４の内壁面を伝って上昇する。上昇した水は、回転板１５の表面を伝って引き伸ばされ、回転板１５の外周端から回転面方向に向かって微細な水滴として放出される。放出された水滴は内筒４の内壁面に衝突して破砕され、さらに微細な水滴となる。この回転板１５から放出された水滴と、内筒４の内壁面に衝突し破砕された水滴とが内筒４を通過する空気と接触し、水滴が気化して空気の加湿が行われる。なお、発生した水滴の一部は気化しないが、液体微細化手段１７を内筒４で覆われるように配置しているので、気化しなかった水滴は内筒４の内側表面に付着して貯水部１０に落下する。
【００３９】
そして、水滴を含んだ空気（加湿された空気）は、内筒４の下端に設けられた通風口７から、下方に設けられた貯水部１０に向けて吹き出される。そして、内筒４と外筒８との間に形成された外筒風路９に向かって流れる。ここで、外筒風路９内を通過する空気は鉛直方向上方に向かって送風されるため、内筒風路６内を下方に流れる空気と送風方向が対向する向きに変わることとなる。
【００４０】
このとき、通風口７から空気とともに吹き出された水滴はその慣性により空気の流れに追従できず、貯水部１０の水面４０もしくは外筒８の内側壁面に付着する。この作用は水滴の重量が大きいほど作用が大きく、すなわち、気化しにくい直径の大きな水滴ほど作用が大きいため、これにより大粒の水滴を流れる空気から分離することができる。
【００４１】
そして、内筒風路６から通風口７を介して外筒風路９に流入した空気は、外筒風路９を通って上向きに流れる。そして、吹出口３から外部に吹き出される。このとき、水滴の一部は重力により貯水部１０へ落下する、もしくは、内筒４の外壁あるいは外筒８の内壁に付着する。そして、内筒４の外壁や外筒８の内壁に付着した水滴は、内筒４の外側壁面や外筒８の内側壁面を伝って貯水部１０へ落下する。
【００４２】
以上述べたようにして、本発明の液体微細化装置１は、液体微細化手段１７によって空気を加湿することができる。
【００４３】
次に、液体微細化装置１の給水構造について説明する。
【００４４】
液体微細化装置１の給水構造は、図３に示すように、第１給水口１２と、内部給水管２０と、第２給水口２１と、給水管接続部２２と、によって構成される。
【００４５】
第１給水口１２は、外筒８の側壁８ａを貫通する開口である。第１給水口１２には、側壁８ａの外側において内部給水管２０の一端が接続される。
【００４６】
第２給水口２１は、水受け部１１の側壁１１ａを貫通する開口である。第２給水口２１には、側壁１１ａの内側において内部給水管２０の他端が接続される。また、第２給水口２１には、側壁１１ａの外側において給水管接続部２２が接続される。つまり、内部給水管２０と給水管接続部２２とは、第２給水口２１を介して連通して接続される。
【００４７】
内部給水管２０は、一端が第１給水口１２に接続され、他端が第２給水口２１に接続される。つまり、内部給水管２０は、外筒８の第１給水口１２と水受け部１１の第２給水口２１とを連通する内部配管である。
【００４８】
給水管接続部２２は、第２給水口２１に対応する側壁１１ａの外側に設置される。そして、給水管接続部２２は、外部の給水管によって、例えば、住宅あるいは施設の上水道や給水ポンプなどの給水設備に接続される。
【００４９】
以上の給水構造により、水の微細化の運転を開始させた場合には、内部給水管２０に設けられた電磁弁（図示せず）を開けることで、外部からの水は、給水管接続部２２、第２給水口２１、内部給水管２０、第１給水口１２を流通して、液体微細化装置１の貯水部１０に連続的に自動供給される。
【００５０】
次に、液体微細化装置１の排水構造について説明する。
【００５１】
液体微細化装置１の排水構造は、図３に示すように、第１排水口１３と、内部排水管３０と、第２排水口３１と、排水管接続部３３と、によって構成される。
【００５２】
第１排水口１３は、貯水部１０の底面に設けられた開口である。第１排水口１３には、内部排水管３０の一端（第１開口端部３０ａ）が連通して接続される。
【００５３】
第２排水口３１は、水受け部１１の側壁１１ａを貫通する開口である。第２排水口３１は、第２給水口２１の鉛直方向下方の位置に設けられる。また、第２排水口３１は、第１排水口１３の位置よりも低い位置に設けられる。また、第２排水口３１は、側壁１１ａにおいて、水受け部１１の傾斜面１１ｂからの水が流れ込む位置に設けられる。そして、第２排水口３１には、側壁１１ａの外側において排水管接続部３３が接続される。また、第２排水口３１には、内部排水管３０の他端（第２開口端部３０ｂ）が挿通される。つまり、第２排水口３１は、内部排水管３０が挿通された領域と、その領域以外の開口領域とを有する。
【００５４】
内部排水管３０は、図３に示すように、第１排水口１３に連通して接続された第１開口端部３０ａと、第２排水口３１に挿通された第２開口端部３０ｂとを有して構成される。第１開口端部３０ａは、貯水部１０からの排水を内部排水管３０の内部に導入するための開口である。第２開口端部３０ｂは、内部排水管３０の内部に導入した排水を内部排水管３０の外に導出するための開口である。また、内部排水管３０（特に第２開口端部３０ｂ側）の外径は、図４に示すように、少なくとも第２排水口３１の開口径よりも小さく形成されている。そして、内部排水管３０は、第２排水口３１に挿通させる際、第２排水口３１の上端側に偏らせて配置している。また、内部排水管３０の第２開口端部３０ｂは、第２排水口３１を介して排水管接続部３３の内部まで挿通されている。
【００５５】
排水管接続部３３は、第２排水口３１に対応する側壁１１ａの外側に設置される。そして、排水管接続部３３は、外部の排水管によって、例えば、住宅あるいは施設に設けられている排水口などの排水設備に接続される。また、図４に示すように、排水管接続部３３の内部には、第２排水口３１と同等の内径を有する排水管接続口３３ａと、排水管接続口３３ａと第２排水口３１と連通する排水管路３３ｂとが形成されている。そして、排水管接続部３３の内部には、第２排水口３１に挿通された内部排水管３０の第２開口端部３０ｂが位置している。具体的には、内部排水管３０の第２開口端部３０ｂは、水受け部１１の第２排水口３１と、排水管接続部３３の排水管接続口３３ａとの間における排水管接続口３３ａ側に位置している。
【００５６】
以上の排水構造により、水の微細化の運転が停止した場合には、内部排水管３０に設けられた熱動弁（図示せず）を開けることで、貯水部１０からの水は、第１排水口１３、内部排水管３０、排水管接続部３３（排水管路３３ｂ、排水管接続口３３ａ）を流通して、液体微細化装置１の外部に自動排水される。つまり、貯水部１０の水は、図４の矢印４１に示すように、水受け部１１に流れ込むことなく、第２排水口３１に挿通された内部排水管３０から装置外に排水される。
【００５７】
一方、異常時に、水受け部１１に流れ込む水は、図４の矢印４２に示すように、第２排水口３１の内部排水管３０以外の領域から装置外に排水される。
【００５８】
以上、本実施の形態１に係る液体微細化装置１によれば、以下の効果を享受することができる。
【００５９】
（１）液体微細化装置１の動作時には、貯水部１０からの水は、第２排水口３１に挿通された内部排水管３０の第２開口端部３０ｂから、水受け部１１に流れ込むことなく装置外に排水される。一方、装置に異常が生じて水漏れが発生した際には、水受け部１１に流れ込む水は、第２排水口３１の内部排水管３０以外の領域から装置外に排水される。このため、本発明の液体微細化装置１では、水受け部１１内で貯水部１０からの水が空気に曝されることを抑制することができる。また、異常時に水受け部１１が保持可能な水量以上の水漏れが生じる場合でも、水受け部１１に流れ込む水を連続的に排水することができる。すなわち、装置を長期間継続して使用する場合でも、水受け部１１からの水溢れを防止することが可能な排水機構を備えた液体微細化装置１とすることができる。
【００６０】
（２）内部排水管３０の第２開口端部３０ｂを、水受け部１１の第２排水口３１と排水管接続部３３の排水管接続口３３ａとの間に位置する構成とした。これにより、第２開口端部３０ｂから排水される貯水部１０からの水が、第２排水口３１を介して水受け部１１内に逆流することを抑制することができる。このため、水受け部１１内で貯水部１０からの水が空気に曝されることをさらに抑制することができる。
【００６１】
（３）水受け部１１に第２排水口３１に向かって下り勾配を有する傾斜面１１ｂを設けたことで、異常時に水受け部１１に流れ込む水を確実に第２排水口３１の内部排水管３０以外の領域から排水することができる。このため、水受け部１１内で貯水部１０からの水が空気に曝されることを確実に抑制することができる。
【００６２】
（４）内部排水管３０の第２開口端部３０ｂを第２排水口３１に挿通する構成とした。これにより、貯水部１０からの水を排水するための外部の排水管と、装置に異常が生じて水漏れが発生した際には、水受け部１１に流れ込む水を排水するための外部の排水管とを別々に設ける場合に比べて、外部の排水管との接続部が削減される分の低コスト化または省スペース化を実現できる。
【００６３】
次に、本実施の形態１に係る液体微細化装置を備えた熱交換気装置について、図５を参照して説明する。図５は、本実施の形態１に係る液体微細化装置を備えた熱交換気装置６０の概略斜視図である。
【００６４】
図５に示すように、熱交換気装置６０は、液体微細化装置５０と、建物の室内に設けられた室内吸込口６１及び給気口６４と、建物の屋外に設けられた排気口６２及び外気吸込口６３と、本体内に設けられた熱交換素子６５とを備えている。なお、液体微細化装置５０は、本実施の形態１に係る液体微細化装置１に相当する。
【００６５】
室内吸込口６１は、室内の空気を吸い込み、その吸い込まれた空気が排気口６２より屋外へ排気される。また、外気吸込口６３は、屋外の外気を吸い込み、その吸い込まれた外気が給気口６４より室内へ給気される。このとき、室内吸込口６１から排気口６２へ送られる空気と、外気吸込口６３から給気口６４へ送られる外気との間で、熱交換素子６５により熱交換が行われる。
【００６６】
熱交換気装置の機能の一つとして、加湿目的の水気化装置や、殺菌／消臭目的での次亜塩素酸気化装置といった液体を気化させる装置が組み込まれたものがある。熱交換気装置６０は、この液体を気化させる装置として、液体微細化装置５０が組み込まれている。具体的には、熱交換気装置６０の給気口６４側に、接続ダクト６６を介して液体微細化装置５０が設けられている。なお、液体微細化装置５０への水の供給及び排水は、給排水配管５１によって行われる。
【００６７】
液体微細化装置５０を備えた熱交換気装置６０は、熱交換素子６５による熱交換が行われた外気に対して、液体微細化装置５０により微細化された水又は次亜塩素酸を含め、給気口６４より室内へ供給する。これらの液体を気化させるための機構として液体微細化装置５０を用いることで、より小型でエネルギー効率のよい熱交換気装置６０を得ることができる。
【００６８】
また、換気の際に屋外へ排出する水分を室内に給気する空気に回収しつつ、さらに熱交換素子６５（湿度回収部に相当）で水分を回収しきれなかった場合には、液体微細化装置５０を通過させる際に補填もしくはそれ以上に上乗せすることができるので、室内を加湿および快適な湿度範囲に維持させることができる。
【００６９】
ここで、液体微細化装置５０は、熱交換気装置６０に代えて、空気清浄機あるいは空気調和機に備えられてもよい。空気清浄機あるいは空気調和機における機能の一つとして、加湿目的の水気化装置、あるいは、殺菌／消臭目的での次亜塩素酸気化装置といった液体を気化させる装置が組み込まれたものがある。この装置として、液体微細化装置５０を用いることで、より小型でエネルギー効率のよい空気清浄機又は空気調和機を得ることができる。
【００７０】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【００７１】
本実施の形態に係る液体微細化装置１では、水受け部１１内の水の有無を検知するための水位検知部を設ける構成としてもよい。このようにすることで、装置に異常が生じて水漏れが発生した際（例えば、貯水部１０の最大水量を検知するための水位検知部が故障した場合）でも、貯水部１０への給水を早期に停止することができる。
【００７２】
また、本実施の形態に係る液体微細化装置１では、内部排水管３０にオーバーフロー管を接続する構成としてもよい。ここで、オーバーフロー管は、何らかの原因により貯水部１０の水位が満水位以上となった際、液体微細化装置１本体を保護するため強制的に排水する機構である。
【産業上の利用可能性】
【００７３】
本発明に係る液体微細化装置は、加湿目的での水気化装置や、殺菌／消臭目的での次亜塩素酸気化装置といった液体を気化させる装置に適用可能である。また、熱交換気装置、空気清浄機又は空気調和機において、その機能の一つとして組み込まれた水気化装置あるいは次亜塩素酸気化装置等に、本発明に係る液体微細化装置は適用可能である。
【符号の説明】
【００７４】
１    液体微細化装置
２    吸込口
３    吹出口
４    内筒
５    吸込連通風路
６    内筒風路
７    通風口
８    外筒
８ａ    側壁
９    外筒風路
１０    貯水部
１１    水受け部
１１ａ    側壁
１１ｂ    傾斜面
１２    第１給水口
１３    第１排水口
１４    揚水管
１５    回転板
１６    モータ
１７    液体微細化手段
２０    内部給水管
２１    第２給水口
２２    給水管接続部
３０    内部排水管
３０ａ    第１開口端部
３０ｂ    第２開口端部
３１    第２排水口
３３    排水管接続部
３３ａ    排水管接続口
３３ｂ    排水管路
４０    水面
５０    液体微細化装置
５１    給排水配管
６０    熱交換気装置
６１    室内吸込口
６２    排気口
６３    外気吸込口
６４    給気口
６５    熱交換素子
６６    接続ダクト
【図１】
2020104053.tif 000003
【図２】
2020104053.tif 000004
【図３】
2020104053.tif 000005
【図４】
2020104053.tif 000006
【図５】
2020104053.tif 000007